(57)【特許請求の範囲】
【請求項１】
ポケットコイルを並べて配置したマットレスにおいて、
隣り合うポケットコイルの側部同士を連結することでコイルシートを形成し、隣り合うポケットコイルの間に間隔をあけて隣り合うポケットコイルの間でコイルシートを屈曲可能とし、マットレスを屈曲させた状態とすることができるように隣り合うポケットコイルの連結部分よりも上端同士や下端同士の間隔を縮めることでコイルシート全体を屈曲可能な状態で収容袋の内部に収容したことを特徴とするマットレス。
【請求項２】
コイルの硬さが異なる複数のコイルシートをコイルの硬さ順に重ねたことを特徴とする請求項１に記載のマットレス。
【請求項３】
コイルの径が異なる複数のコイルシートをコイルの径順に重ねたことを特徴とする請求項１又は請求項２に記載のマットレス。
【発明の詳細な説明】
【技術分野】
【０００１】
本発明は、ポケットコイルを並べて配置したマットレスに関するものである。
【背景技術】
【０００２】
マットレスは、内部のクッション材によって寝心地が大きく左右される。クッション材としては、各種のコイルや弾性シートなどが知られている。その中でも、個々のコイルを袋状のポケットに収容したポケットコイルをマットレスのクッション材として用いた場合には、身体を点で支持することで身体にフィットさせることができ、寝心地を向上させることができる。
【０００３】
このポケットコイルを用いたマットレスとしては、収容袋の内部に複数個のポケットコイルを前後左右に水平に隙間なく並べて収容した構成のものが知られている（たとえば、特許文献１参照。）。
【先行技術文献】
【特許文献】
【０００４】
【特許文献１】特開２０１０−２５９７０１号公報
【発明の概要】
【発明が解決しようとする課題】
【０００５】
ところが、上記従来のマットレスでは、複数個のポケットコイルを隙間なく並べて配置していたために、水平にした状態で使用する上では問題がないものの、マットレスを屈曲させることができなかった。
【０００６】
そのため、上記従来のマットレスでは、マットレスを屈曲させて収納したり運搬することができず、取扱いが困難であった。
【０００７】
また、上記従来のマットレスでは、座面を起倒させることができる介護用ベッドなどで使用した場合、座面を傾斜状に起立させると、座面の回動にマットレスが追従できず、マットレスが座面から浮き上がった状態となってしまい、使用感が悪いものであった。
【課題を解決するための手段】
【０００８】
そこで、請求項１に係る本発明では、ポケットコイルを並べて配置したマットレスにおいて、隣り合うポケットコイルの側部同士を連結することでコイルシートを形成し、隣り合うポケットコイルの間に間隔をあけて隣り合うポケットコイルの間でコイルシートを屈曲可能とし、マットレスを屈曲させた状態とすることができるように隣り合うポケットコイルの連結部分よりも上端同士や下端同士の間隔を縮めることでコイルシート全体を屈曲可能な状態で収容袋の内部に収容することにした。
【０００９】
また、請求項２に係る本発明では、前記請求項１に係る本発明において、コイルの硬さが異なる複数のコイルシートをコイルの硬さ順に重ねたことにした。
【００１０】
また、請求項３に係る本発明では、前記請求項１又は請求項２に係る本発明において、コイルの径が異なる複数のコイルシートをコイルの径順に重ねることにした。
【発明の効果】
【００１１】
そして、本発明では、以下に記載する効果を奏する。
【００１２】
すなわち、本発明では、ポケットコイルを並べて配置したマットレスにおいて、隣り合うポケットコイルの側部同士を連結することでコイルシートを形成し、隣り合うポケットコイルの間に間隔を形成して隣り合うポケットコイルの間でコイルシートを屈曲可能としているために、マットレスを屈曲させることができる。これにより、屈曲させた状態で収納や運搬等を行うことができ、マットレスの取扱い性を向上させることができる。また、介護用ベッドなどで使用した場合でも、座面の回動に追従してマットレスが屈曲するために、マットレスが座面から浮き上がってしまうのを防止することができ、マットレスの使用感を向上させることができる。
【００１３】
特に、隣り合うポケットコイルの側部中央で連結した場合には、マットレスを上下いずれの方向に向けても屈曲させることができる。
【００１４】
また、コイルの径が異なる複数のコイルシートをコイルの径順に重ねた場合には、寝心地を向上させながらマットレスの屈曲性を保持することができる。
【図面の簡単な説明】
【００１５】
【図１】本発明に係るマットレスを示す一部切欠平面説明図（ａ）、側面断面説明図（ｂ）。
【図２】同断面拡大説明図。
【図３】同断面拡大説明図。
【発明を実施するための形態】
【００１６】
以下に、本発明に係るマットレスの具体的な構成について図面を参照しながら説明する。
【００１７】
図１及び図２に示すように、マットレス１は、収容袋２の内部に２枚のコイルシート3,4を弾性シート５で挟んで上下に重ねて収容している。
【００１８】
上側のコイルシート３は、矩形状の上下シート6,7の間にコイル８を前後左右それぞれに間隔をあけて配置し、隣り合うコイル8,8の間と外周部において上下シート6,7を貼着している。これにより、各コイル８は、上下シート6,7の間に形成されたポケット部９に収容された状態となる。そのため、コイルシート３は、ポケット部９にコイル８を収容したポケットコイル10を形成する。そして、各ポケットコイル10は、上下シート6,7を貼着した連結部11で連結された状態となる。そのため、コイルシート３は、隣り合うポケットコイル10の側部同士をポケット部９の側部中央で連結部11によって連結された状態となる。
【００１９】
下側のコイルシート４は、上側のコイルシート３と同様の構成となっているが、矩形状の上下シート12,13の間に上側のコイルシート３のコイル８よりも硬い（径が大きく、太い）コイル14を前後左右それぞれに間隔をあけて配置し、隣り合うコイル14,14の間と外周部において上下シート12,13を貼着している。これにより、各コイル14は、上下シート12,13の間に形成されたポケット部15に収容された状態となる。そのため、コイルシート４は、ポケット部15にコイル14を収容したポケットコイル16を形成する。そして、各ポケットコイル16は、上下シート12,13を貼着した連結部17で連結された状態となる。そのため、コイルシート４は、隣り合うポケットコイル16の側部同士をポケット部15の側部中央で連結部17によって連結された状態となる。なお、下側のコイルシート４では、上側のコイルシート３よりも大きい径のコイル14を用いているために、コイル14の個数は少なくなっている。
【００２０】
このコイルシート3(4)は、隣り合うポケットコイル10,10(16,16)の側部同士を間隔をあけて連結しているために、図３に示すように、連結している部分（連結部11(17)）よりもポケットコイル10(16)の上端同士や下端同士の間隔を縮めることができ、隣り合うポケットコイル10,10(16,16)の間において連結している部分（連結部11(17)）を屈曲させることができる。
【００２１】
なお、上記コイルシート3(4)では、上下シート6,7(12,13)の間に形成したポケット部9(15)にコイル8(14)を収容したポケットコイル10(16)を形成しているが、これに限られず、袋状のポケットにコイルを収容することで形成した公知の独立したポケットコイルを複数個並べて連結して形成してもよい。
【００２２】
以上に説明したように、上記マットレス１は、ポケットコイル10(16)を前後左右に水平に並べて配置しており、隣り合うポケットコイル10,10(16,16)の側部同士を連結することでコイルシート3(4)を形成し、隣り合うポケットコイル10,10(16,16)の間に間隔を形成して隣り合うポケットコイル10,10(16,16)の間でコイルシート3(4)を屈曲可能に構成している。
【００２３】
そのため、上記マットレス１は、全体又は一部を容易に屈曲させることができる。これにより、マットレス１を屈曲させた状態で収納や運搬等を行うことができ、マットレス１の取扱い性を向上させることができる。また、介護用ベッドなどで使用した場合でも、座面の回動に追従してマットレス１が屈曲するために、マットレス１が座面から浮き上がってしまうのを防止することができ、マットレス１の使用感を向上させることができる。
【００２４】
コイルシート3,4は、上記構成に限られず、隣り合うポケットコイルの側部同士を間隔をあけて連結することで隣り合うポケットコイルの間で屈曲可能となっていればよい。たとえば、隣り合うポケットコイルの側部全体を連結してしまうと隣り合うポケットコイルの間で屈曲させることができなくなるが、隣り合うポケットコイルの側部の一部（隣り合うポケットコイルの側部下端や側部中央や側部上端などのいずれか）で間隔をあけて連結することで、隣り合うポケットコイルの間で屈曲させることができるようになる。その中で、隣り合うポケットコイル10,10(16,16)の側部中央で連結した場合には、コイルシート3(4)を隣り合うポケットコイル10,10(16,16)の間で上下いずれにも屈曲させることができるので、マットレス１を上下いずれの方向に向けても屈曲させることができる。
【００２５】
また、マットレス１は、１枚のコイルシート３だけを収容袋２に収容したものでもよく、複数枚のコイルシート3,4を上下に重ねて収容袋２に収容したものでもよい。その際に、同一のコイルシート3(4)を複数枚重ねてもよく、コイル8(14)の径、高さ、太さ、硬さなどが異なるコイルシート3(4)を複数枚重ねてもよい。その中で、コイル8,14の径が異なる複数のコイルシート3,4をコイル8,14の径順に重ねた場合には、寝心地を向上させながらマットレス１の屈曲性を保持することができる。
【符号の説明】
【００２６】
１  マットレス                        ２  収容袋
3,4  コイルシート                     ５  弾性シート
6,7,12,13  上下シート                 8,14  コイル
9,15  ポケット部                      10,16  ポケットコイル
11,17  連結部
【図１】
0005881769.tif 000002
【図２】
0005881769.tif 000003
【図３】
0005881769.tif 000004